(57)【要約】【課題】小型・軽量で、汎用性の高い入出力端子で差動音声入出力を実現する。【解決手段】RCAピンプラグおよびRCAピンジャックのアース(GND)接点を2つに分割し、分割した接点の一方をコールド(マイナス)信号接点５−２に、もう一方をアース(GND)接点５−３に割り当て、音声信号を平衡(差動、バランス)方式で伝送する。【選択図】図５
2008226661.tif 000002
【特許請求の範囲】
【請求項１】
信号接点とアース接点を有する2極ピンプラグの前記アース接点を物理的に2つの部分に分割し、
前記分割したアース接点の一方を前記信号接点に対するマイナスのコールド信号接点に割り当て、
前記分割したアース接点の他方をアース接点に割り当て、
前記信号接点、前記コールド信号接点及び前記アース接点を介して入出力される音声信号に対して平衡信号処理を施して伝送することを特徴とする音声信号伝送方法。
【請求項２】
請求項１記載の音声信号伝送方法において、
前記2極ピンプラグと接続される2極ピンジャックであって、信号接点とアース接点を有する2極ピンジャックの前記アース接点を物理的に2つの部分に分割し、
前記分割したアース接点の一方を前記信号接点に対するマイナスのコールド信号接点に割り当て、
前記分割したアース接点の他方をアース接点に割り当て、
前記信号接点、前記コールド信号接点及び前記アース接点を介して入出力される音声信号に対して平衡信号処理を施して伝送することを特徴とする音声信号伝送方法。
【請求項３】
請求項２記載の音声信号伝送方法において、
前記2極ピンプラグと、前記2極ピンジャックとの双方に、互いを接続する際にねじり方向の挿入角度が一意に定まるよう物理的な位置決め機構を設け、
前記位置決め機構を介して、前記2極ピンプラグと、前記2極ピンジャックとの双方の互いの対応する接点同士が接続されるようにすることを特徴とする音声信号伝送方法。
【請求項４】
信号接点とアース接点を有する2極ピンプラグの前記アース接点を物理的に2つの部分に分割し、
前記分割した2極ピンプラグのアース接点の一方を前記信号接点に対するマイナスのコールド信号接点に割り当て、
前記分割した2極ピンプラグのアース接点の他方をアース接点に割り当てた2極ピンプラグと、
前記2極ピンプラグと接続される2極ピンジャックとを、
互いを接続する際にねじり方向の挿入角度が一意に定まるよう物理的な位置決め機構を前記2極ピンプラグに設け、
前記2極ピンプラグを伝送ケーブルの両端に配したことを特徴とする音声信号伝送ケーブル。
【請求項５】
請求項４記載の音声信号伝送ケーブルにおいて、
前記2極ピンジャックは、信号接点とアース接点を有する2極ピンジャックの前記アース接点を物理的に2つの部分に分割し、
前記分割した2極ピンジャックのアース接点の一方を前記信号接点に対するマイナスのコールド信号接点に割り当て、
前記分割した2極ピンジャックのアース接点の他方をアース接点に割り当てたことを特徴とする音声信号伝送ケーブル。
【請求項６】
請求項５記載の音声信号伝送ケーブルにおいて、
前記2極ピンプラグを用いて前記2極ピンジャックを備えた音声入力装置または音声記録装置に音声信号を入力することを特徴とする音声信号伝送ケーブル。
【請求項７】
請求項５記載の音声信号伝送ケーブルにおいて、
前記2極ピンプラグを用いて前記2極ピンジャックを備えたマイクロホン、音声出力装置または音声再生装置に音声信号を出力することを特徴とする音声信号伝送ケーブル。
【請求項８】
請求項６記載の音声信号伝送ケーブルにおいて、
前記2極ピンジャックに対して、前記2極ピンプラグに接続される際にねじり方向の挿入角度が一意に定まるよう物理的な位置決め機構を設けたことを特徴とする音声信号伝送ケーブル。
【請求項９】
請求項７記載の音声信号伝送ケーブルにおいて、
前記2極ピンジャックに対して、前記2極ピンプラグに接続される際にねじり方向の挿入角度が一意に定まるよう物理的な位置決め機構を設けたことを特徴とする音声信号伝送ケーブル。
【発明の詳細な説明】
【技術分野】
【０００１】
本発明は、例えば、RCAピンジャックやRCAピンプラグを使った音声入出力経路を備えた音声入出力装置や音声記録再生装置全般、音声伝送ケーブル全般、マイクロホン装置全般に適用される音声信号伝送方法及び音声信号伝送ケーブルに関するものである。
【背景技術】
【０００２】
音声入出力装置や音声記録再生装置が装備しているアナログ音声入出力端子には、様々な形状、仕様のものが存在している。すなわち、不平衡(アンバランス、シングルエンド)方式の入出力端子としては、通称「RCAピンジャック」「RCAピンプラグ」と呼ばれる（米RCA社：Radio Corporation of Americaが開発したことによる通称）JEITA RC-5231で規定されている2極端子が知られている。
【０００３】
また、平衡(差動、バランス)方式の入出力端子としては、通称「XLRコネクタ」と呼ばれる(米ITTCannon社製のものが有名であるためキャノンコネクタと呼ばれることも多く「XLR 3-11C」「XLR 3-12C」の製品名で知られる)3極2芯シールド端子が知られている。両者は、それぞれ業界標準として広く用いられている入出力端子である。
【０００４】
中でも、マイクロホン出力音声のような微小信号の伝送や、数メートル〜数十メートル単位の長いケーブル引き回しを要求されるアナログ音声伝送の場合等は、外来雑音に強い平衡(差動、バランス)伝送方式が有効である。このため、この平衡(差動、バランス)伝送方式を用いたXLRケーブル、XLRコネクタが多用されている。
【０００５】
また、高周波端子およびベースバンド端子の両方を１箇所に同時に設けた情報コネクタが提案されている(特許文献１参照)。また、機器間の電気信号ラインを接続する際に同時にアースラインは接続しない構造を持つ接続器具が提案されている(特許文献２参照)。さらに、基端側部の２つの電極が縦割り型とされていて、その一方が接地電極である３極プラグ部と位置決め用の電源用端子部とを備えたコネクタが提案されている(特許文献３参照)。
【特許文献１】特開昭６２−２２２５８７号公報
【特許文献２】特開平１１−２６０４３５号公報
【特許文献３】特開２００４−３２７３１６号公報
【発明の開示】
【発明が解決しようとする課題】
【０００６】
上述したXLRコネクタは、外形寸法が大きく直径・奥行きともに2cm以上ものスペースを必要とするため、音声入出力装置の小型・軽量化に大きな障害となる。また、小型の新規形状の平衡(差動、バランス)方式コネクタを開発すればスペースの問題は解決するが、汎用性に乏しいインターフェースになるという不都合がある。
【０００７】
また、上述した特許文献１に記載の技術では、１個のコンセントに複数の機器を接続することができるが、上述した汎用のプラグを接続することができない。また、特許文献２に記載の技術では、RCAピンジャックとRCAピンプラグを用いてアースラインは接続しないものであるが、平衡(差動、バランス)方式の伝送ができない。
【０００８】
さらに、特許文献２に記載の技術では、基端側部の２つの電極が縦割り型とされていて、その一方が接地電極である３極プラグ部を設けているが、位置決め用の電源用端子部を別に付加しなければならない。
【０００９】
そこで、本発明は、小型・軽量化を図ることができ、平衡(差動、バランス)方式で信号伝送ができる汎用のコネクタを用いた音声信号伝送方法及び音声信号伝送ケーブルを提供することを目的とするものである。
【課題を解決するための手段】
【００１０】
本発明は、上記目的を達成するために、本発明の音声信号伝送方法は、信号接点とアース接点を有する2極ピンプラグの前記アース接点を物理的に2つの部分に分割し、前記分割したアース接点の一方を前記信号接点に対するマイナスのコールド信号接点に割り当て、前記分割したアース接点の他方をアース接点に割り当て、前記信号接点、前記コールド信号接点及び前記アース接点を介して入出力される音声信号に対して平衡信号処理を施して伝送するものである。
【００１１】
また、本発明の音声信号伝送ケーブルは、信号接点とアース接点を有する2極ピンプラグの前記アース接点を物理的に2つの部分に分割し、前記分割した2極ピンプラグのアース接点の一方を前記信号接点に対するマイナスのコールド信号接点に割り当て、前記分割した2極ピンプラグのアース接点の他方をアース接点に割り当てた2極ピンプラグと、前記2極ピンプラグと接続される2極ピンジャックとを、互いを接続する際にねじり方向の挿入角度が一意に定まるよう物理的な位置決め機構を前記2極ピンプラグに設け、前記2極ピンプラグを伝送ケーブルの両端に配したものである。
【００１２】
これにより、汎用性が高い既存の「RCAピンプラグ」と「RCAピンジャック」のアース(GND)接点を物理的に２つの部分に分割し、一方をコールド（マイナス）信号接点、もう一方をアース(GND)接点に割り当てるようにすることができる。
【００１３】
これと共に、両者を互いに接続する時に、ジャックに対するプラグのねじり方向の挿入角度が一意に定まるよう物理的な位置決め機構を設けることによって互いの対応する接点同士が確実に接続されるようにすることができる。従って、平衡(差動、バランス)方式の音声伝送を実現することができる。
【発明の効果】
【００１４】
本発明によれば、XLRコネクタよりも小型・軽量で、かつ汎用性が非常に高い入出力端子であるRCAピンプラグおよびRCAピンジャックを利用して、外来雑音に強い平衡(差動、バランス)方式のアナログ音声伝送を実現することができるという効果を奏する。
【００１５】
また、RCAピンプラグ、RCAピンジャックは極めて多数の製品が市場に存在しているため、これらを改造したコネクタを開発することは、全くの新規形状を有するコネクタを開発するよりも開発費用が低く抑えられる。
【００１６】
さらに、本発明で提案するRCAピンプラグ、RCAピンジャックを用いた平衡(差動、バランス)方式の音声信号入出力装置およびケーブルは、既存の非平衡(アンバランス、シングルエンド)方式の音声信号入出力装置およびケーブルと双方向の接続互換性を有するようにすることができる。
【発明を実施するための最良の形態】
【００１７】
以下、本発明の一実施の形態を、図１〜１９を参照して説明する。
まず、現在広く実施されている、RCAピンプラグとRCAピンジャックを用いた不平衡(アンバランス、シングルエンド)方式のアナログ音声信号伝送における、接続端子部分の仕組みについて説明する。
【００１８】
図１に、RCAピンプラグの外観図を示す。図１Ａは側面図、図１Ｂは正面図である。図１において、内周側の１−１が信号接点、外周側の１−２がアース接点(GND)、内周側と外周側の間の１−３が絶縁リングである。
【００１９】
図２に、RCAピンジャックの外観の模式図を示す。図２Ａは正面図、図２Ｂは側面図である。図２において、内周側の２−１の内部が信号接点、外周側の２−２がアース接点(GND)、内周側と外周側の間の２−３が絶縁リングである。
【００２０】
図３に、RCAピンプラグまたはRCAピンジャックから不平衡(アンバランス、シングルエンド)方式で音声信号を出力する装置の簡略ブロック図を示す。図３において、３−１がRCAピンプラグまたはRCAピンジャック、３−２が信号接点、３−３がアース(GND)接点である。また、３−４が音声信号出力回路である。３−４の音声信号出力回路は、一般的には増幅器(アンプ)または緩衝器(バッファ)などである。３−４の音声信号出力回路は、アース(GND)電位に対する信号電圧を出力する。
【００２１】
図４に、RCAピンプラグまたはRCAピンジャックから不平衡(アンバランス、シングルエンド)方式で音声信号を入力する装置の簡略ブロック図を示す。図４において、４−１がRCAピンプラグまたはRCAピンジャック、４−２が信号接点、４−３がアース接点である。また、４−４が音声信号入力回路である。４−４の音声信号入力回路は、一般的には増幅器(アンプ)または緩衝器(バッファ)などである。４−４の音声信号入力回路は、アース(GND)電位に対する信号電圧を出力する。
【００２２】
ここで、図１のRCAピンプラグを図２のRCAピンジャックに挿入すると、図３の信号接点３−２と図４の信号接点４−２、および図３のアース(GND)接点３−３と図４のアース(GND)接点４−３の各接点が互いに接触する。よって音声信号出力装置と音声信号入力装置との間で不平衡(アンバランス、シングルエンド)方式による音声信号伝送のための接続が完成する。この時、RCAピンプラグとRCAピンジャックのねじり方向の挿入角度に制約はない。
【００２３】
次に、本実施の形態の音声信号伝送方法を実現するRCAピンプラグおよびRCAピンジャックの形態と、音声信号の入出力の形態について説明する。
図５に本実施の形態のRCAピンプラグの外観図を示す。図５Ａは側面図、図５Ｂは正面図である。図５において、内周側の５−１がホット信号接点、外周側の一方の５−２がコールド(マイナス)信号接点、外周側の他方の５−３がアース(GND)接点、内周側と外周側の間の５−４が絶縁リングである。
【００２４】
このように、既存のRCAピンプラグのアース(GND)接点が図５Ｂに示すプラグの正面方向から見て２つの部分に分割されている。一方がコールド(マイナス)信号接点５−２として、もう一方がアース(GND)接点５−３として割り当てられていることが本実施形態の特徴である。
【００２５】
なお、図５ではアース(GND)接点５−３が水平方向で上下に２等分されているが、分割位置は後に述べる図８の形態のRCAピンジャックとの接続性要件を満たす範囲内で任意であり、上下２等分の分割に限定されない。
【００２６】
図５のRCAピンプラグを出力端子として、平衡(差動、バランス)方式で音声信号を出力する装置の簡略ブロック図を図６に示す。６−１がRCAピンプラグ、６−２がホット(プラス)信号接点、６−３がコールド(マイナス)信号接点、６−４がアース(GND)信号接点である。
【００２７】
また、６−５がホット(プラス)信号接点６−２の接点に信号を供給するための音声信号出力回路である。音声信号出力回路６−５は、一般的には増幅機(アンプ)または緩衝器(バッファ)などである。６−６が６−３の接点に信号を供給するための音声信号出力回路である。音声信号出力回路６−６は、一般的には増幅機(アンプ)または緩衝器(バッファ)などである。音声信号出力回路６−６は、音声信号出力回路６−５が出力する信号と逆位相の信号が出力されるように構成されている。
【００２８】
このように、既存のRCAピンプラグのアース(GND)接点をコールド(マイナス)信号接点６−３とアース(GND)信号接点６−４の２つの部分に分割している。一方のコールド(マイナス)信号接点６−３には、ホット(プラス)信号接点６−２から出力される音声信号とは逆位相の音声信号が出力されるようになっていることが本実施形態の特徴である。
【００２９】
なお音声信号出力回路６−５、音声信号出力回路６−６およびその相互接続関係は、あくまで本実施形態を実現するための回路構成を等価回路的・ブロック図的に描いたものであり、アンプやバッファの段数や相互接続関係について、あるいはアンプやバッファのような能動素子を使わずトランスなどの受動素子のみで構成するか等々も含めて実現方法は一切任意である。
【００３０】
図５のRCAピンプラグを入力端子として、平衡(差動、バランス)方式で音声信号を入力する装置の簡略ブロック図を図７に示す。図７において、７−１がRCAピンプラグ、７−２がホット(プラス)信号接点、７−３がコールド(マイナス)信号接点、７−４がアース(GND)信号接点である。
【００３１】
また、７−５がホット(プラス)信号接点７−２から入力された音声信号とコールド(マイナス)信号接点７−３から入力された音声信号の差分を抽出して後段に伝えるための差動音声入力回路である。差動音声入力回路７−５は、一般的には差動増幅器(アンプ)または差動入力緩衝器(バッファ)などである。
【００３２】
このように、既存のRCAピンプラグのアース(GND)接点をコールド(マイナス)信号接点７−３とアース(GND)信号接点７−４の２つの部分に分割している。一方のコールド(マイナス)信号接点７−３には、ホット(プラス)信号接点７−２から入力される音声信号とは逆位相の音声信号が入力される。
【００３３】
そして、ホット(プラス)信号接点７−２からの入力信号とコールド(マイナス)信号接点７−３からの入力信号の両者の差分を抽出して後段の内部回路に取り込まれるようになっていることが本実施形態の特徴である。
【００３４】
なお差動音声入力回路７−５は、あくまで本実施形態を実現するための回路構成を等価回路的・ブロック図的に描いたものであり、アンプやバッファの段数や相互接続関係について、あるいはアンプやバッファのような能動素子を使わずトランスなどの受動素子のみで構成するか等々も含めて実現方法は一切任意である。
【００３５】
図８に本実施の形態のRCAピンジャックの外観図を示す。図８Ａは正面図、図８Ｂは側面図である。図８において、内周側の８−１がホット(プラス)信号接点、外周側の一方の８−２がコールド(マイナス)信号接点、外周側の他方の８−３がアース(GND)接点、内周側と外周側の間の８−４が絶縁リングである。
【００３６】
このように、既存のRCAピンジャックのアース(GND)接点が図８Ａに示すプラグの正面方向から見て２つの部分に分割される。一方がコールド(マイナス)信号接点８−２として、もう一方がアース(GND)接点８−３として割り当てられていることが本実施形態の特徴である。
【００３７】
なお図８ではアース(GND)接点８−３が水平方向で上下に２等分されているが、分割位置は先に述べた図５の形態のRCAピンプラグとの接続性要件を満たす範囲内で任意であり、上下２等分の分割に限定されない。
【００３８】
図８のRCAピンジャックを出力端子として、平衡(差動、バランス)方式で音声信号を出力する装置の簡略ブロック図を図６に示す。また、図８のRCAピンジャックを入力端子として、平衡(差動、バランス)方式で音声信号を入力する装置の簡略ブロック図を図７に示す。
【００３９】
なお、図６と図７の説明は、端子部分の物理形状が異なることを除けば、前述した先の本実施形態の図５のRCAピンプラグによって実現される入出力形態の説明と重複するため、省略する。
【００４０】
ここで、図５のRCAピンプラグを図８のRCAピンジャックに挿入すると、図６のホット信号接点６−２と図７のホット信号接点７−２、および図６のコールド(マイナス)信号接点６−３と図７のコールド(マイナス)信号接点７−３、および図６のアース信号接点６−４と図７のアース信号接点７−４の各接点が互いに接触する。
【００４１】
よって音声信号出力装置と音声信号入力装置との間で平衡(差動、バランス)方式による音声信号伝送のための接続が完成する。
ただしこの時、RCAピンプラグとRCAピンジャックのねじり方向の挿入角度には制約が生じる。すなわち、ある一定の挿入角度が保たれていなければ前述のコールド(マイナス)信号接点６−３とコールド(マイナス)信号接点７−３、およびアース信号接点６−４とアース信号接点７−４の接点の接触関係が実現しない。
【００４２】
図９、図１０、図１１、図１２に本実施形態の物理的な位置決め機構の一例を示す。本実施形態の特徴は、先の本実施形態で説明したRCAピンプラグおよびRCAピンジャックの周辺部の物理的形状に対して必要な造詣を施し、お互いを接続した時に、ねじれ方向の挿入角度が所望の角度に限定されるようにしていることである。
【００４３】
図９は先の本実施形態で説明したRCAピンプラグのプラグ側面視図、図１０は同正面視図、図１１は先の本実施形態で説明したRCAピンジャックの側面視図、図１２は同プラグ正面視図である。９−１および１０−１および１１−１および１２−１はホット(プラス)信号接点、９−２および１０−２および１１−２および１２−２はコールド(マイナス)信号接点、９−３および１０−３および１１−３および１２−３はアース(GND)接点である。
【００４４】
図９（図１０）のRCAピンプラグはプラグ正面視（先端視）にて４辺のうちの１辺(図中上部)に凸形状９−４（１０−４）が設けてある。また図１１（図１２）のRCAピンジャックはその周囲に凹み形状を有し、４辺のうちの１辺(図中上部)に凹部１１−４（１２−４）の切り欠きが設けられている。
【００４５】
そして、図９（図１０）のRCAピンプラグと図１１（図１２）のRCAピンジャックは、４辺のうちの１辺(図中上部)の凸形状９−４（１０−４）とに凹部１１−４（１２−４）の切り欠きが合致する方向にのみ挿入可能なようになっている。それ以外の方向には、RCAピンプラグ側の凸形状がRCAピンジャック側の周囲の凹み形状に干渉して挿入ができないようになっている。
【００４６】
このようにすることで、ねじれ方向の挿入角度が所望の角度に限定され、使用者が、図９（図１０）のRCAピンプラグと図１１（図１２）のRCAピンジャックを接続する時に特別な注意を要せずにホット(プラス)信号接点９−１（１０−１）とホット(プラス)信号接点１１−１（１２−１）の接点同士が接続する。
【００４７】
また、コールド(マイナス)信号接点９−２（１０−２）とコールド(マイナス)信号接点１１−２（１２−２）の接点同士、アース(GND)接点９−３（１０−３）とアース(GND)接点１１−３（１２−３）の接点同士が安定して接触するようになる。もって、平衡(差動、バランス)方式の音声信号伝送が可能になる。
【００４８】
なお、この図９（図１０）と図１１（図１２）に示したような物理的位置決め機構は、本実施形態の一例を示したに過ぎず、具体的実現手段を限定しているものではない。
【００４９】
図１３に本実施形態の音声信号伝送ケーブルの一例を示す。このケーブルは、先の本実施形態のRCAピンプラグの特徴と、物理的な位置決め機構の特徴を併せ持つRCAピンプラグ１３−１を音声信号伝送ケーブル１３−２の両端に配することを特徴とする。
【００５０】
図１４に本実施形態の音声入力装置の一例を示す。この音声入力装置は、先の本実施形態のRCAピンプラグの特徴と、物理的な位置決め機構の特徴を併せ持つRCAピンプラグ１４−１を音声信号伝送ケーブル１４−２の一端に装備しており、このRCAピンプラグ１４−１から平衡(差動、バランス)伝送方式で音声入力装置１４−３へ音声信号が入力可能であることを特徴とする。
【００５１】
図１５に本実施形態のマイクロホン、音声出力装置または音声再生装置の一例を示す。このマイクロホン、音声出力装置または音声再生装置１５−２は、先の本実施形態のRCAピンプラグの特徴と、物理的な位置決め機構の特徴を併せ持つL/RchのRCAピンプラグ１５−１を装備している。そして、このL/RchのRCAピンプラグ１５−１から平衡（差動、バランス）伝送方式で音声信号を出力可能であることを特徴とする。
【００５２】
図１６は、L/RchのRCAピンプラグ１５−１部分の正面視図（プラグ先端視図）である。このL/RchのRCAピンプラグ１５−１は、マイクロホン、音声出力装置または音声再生装置１５−２がステレオ(L/Rchの２チャンネル)音声仕様である。
【００５３】
また、ジャックに対するねじり方向の回転角度を一意に決めるための物理的位置決め機構(図中左側)が、２本のL/RchのRCAピンプラグ１６−１（LchのRCAピンプラグ１６−２，RchのRCAピンプラグ１６−３）に跨いで設けられている場合の一例を示している。
【００５４】
また図１７は、L/RchのRCAピンプラグ１５−１と接続することで平衡(差動、バランス)方式の音声伝送を実現するL/RchのRCAピンジャック１７−１（LchのRCAピンジャック１７−２，RchのRCAピンジャック１７−３）の一例を示す。
【００５５】
図１８に本実施形態の音声入力装置または音声記録装置の一例を示す。この音声入力装置または音声記録装置１８−８は、先の本実施形態のRCAピンジャックの特徴と、物理的な位置決め機構の特徴を併せ持つRCAピンジャック１８−１を装備している。そして、このRCAピンジャック１８−１から平衡（差動、バランス）伝送方式で音声信号が入力可能であることを特徴とする。
【００５６】
図１８では、ステレオ（L/Rchの２チャンネル）音声入力を２系統装備している音声入力装置ないし音声記録装置の例を示している。すなわち、第１系統のL/RchのRCAピンジャック１８−２（LchのRCAピンジャック１８−３，RchのRCAピンジャック１８−４）、第２系統のL/RchのRCAピンジャック１８−５（LchのRCAピンジャック１８−６，RchのRCAピンジャック１８−７）が設けられる。
【００５７】
図１９に本実施形態のマイクロホン、音声出力装置または音声再生装置の一例を示す。図１９Ａは側面図、図１９Ｂは正面図である。図１９において、このマイクロホン、音声出力装置または音声再生装置１９−２は、先の本実施形態のRCAピンジャックの特徴と、物理的な位置決め機構の特徴を併せ持つRCAピンジャック１９−１を装備している。
【００５８】
そして、このRCAピンジャック１９−１から平衡（差動、バランス）伝送方式で音声信号を出力可能であることを特徴とする。
上述した図９で説明したRCAピンプラグを、図２に示す既存のRCAピンジャックに接続すると、コールド(マイナス)信号接点とアース(GND)接点とが図２のRCAピンジャック部分でショートされる。
【００５９】
このため、平衡(差動、バランス)方式の伝送は成り立たないものの、アース(GND)端子電位に対するホット(プラス)端子の信号は非平衡(シングルエンド、アンバランス)方式にて伝送が可能である。
【００６０】
また、図１０で説明したRCAピンジャックに、図１に示す既存のRCAピンプラグを接続すると、コールド(マイナス)信号接点とアース(GND)接点とが[図１]のRCAピンプラグ部分でショートされる。
【００６１】
このため、平衡(差動、バランス)方式の伝送は成り立たないものの、アース(GND)端子電位に対するホット(プラス)端子の信号は非平衡(シングルエンド、アンバランス)方式にて伝送が可能である。
この双方向の接続互換性は、本実施の形態例が、既存の音声入出力システムと共存していく上で大きなメリットとなる。
【００６２】
本実施の形態によれば、ＲＣＡピンプラグおよびＲＣＡピンジャックのアース（ＧＮＤ）接点を２つに分割し、分割した接点の一方をコールド（マイナス）信号接点に、もう一方をアース（ＧＮＤ）接点に割り当て、音声信号を平衡（差動、バランス）方式で伝送する。これにより、小型・軽量で、汎用性の高い入出力端子で差動音声入出力を実現することができる。
【００６３】
なお、上述した本実施の形態例に限らず、本発明の要旨を逸脱しない限り、適宜変更しうることは言うまでもない。
【図面の簡単な説明】
【００６４】
【図１】本発明の一実施の形態によるRCAピンプラグの外観図を示す。図１Ａは側面図、図１Ｂは正面図である。
【図２】RCAピンジャックの外観の模式図を示す。図２Ａは正面図、図２Ｂは側面図である。
【図３】音声信号出力装置のブロック図である。
【図４】音声信号入力装置のブロック図である。
【図５】本実施の形態のRCAピンプラグの外観図を示す。図５Ａは側面図、図５Ｂは正面図である。
【図６】本実施の形態の音声信号出力装置のブロック図である。
【図７】本実施の形態の音声信号入力装置のブロック図である。
【図８】本実施の形態のRCAピンジャックの外観の模式図を示す。図８Ａは正面図、図８Ｂは側面図である。
【図９】本実施の形態のRCAピンプラグのプラグ側面視図である。
【図１０】本実施の形態のRCAピンプラグのプラグ正面視図である。
【図１１】本実施の形態のRCAピンジャックの側面視図である。
【図１２】本実施の形態のRCAピンジャックの正面視図である。
【図１３】本実施の形態の音声信号伝送ケーブルを示す図である。
【図１４】本実施の形態の音声信号入力装置を示す図である。
【図１５】本実施の形態のマイクロホンまたは音声出力装置を示す図である。
【図１６】本実施の形態のL/RchのRCAピンプラグの正面視図である。
【図１７】本実施の形態のL/RchのRCAピンジャックの正面視図である。
【図１８】本実施の形態の音声入力装置または音声記録装置を示す図である。
【図１９】本実施の形態のマイクロホンまたは音声出力装置を示す図である。図１９Ａは側面図、図１９Ｂは正面図である。
【符号の説明】
【００６５】
５−１，８−１…ホット信号接点、５−２，８−２…コールド信号接点、５−３，８−３…アース接点、５−４，８−４…絶縁リング、６−１、７−１…RCAピンプラグ、６−２，７−２…ホット信号接点、６−３，７−３…コールド信号接点、６−４，８−４…アース接点、６−５，６−６…音声信号出力回路、７−５…音声信号入力回路、９−４，１０−４…凸部、１１−４，１２−４…凹部、１３−２…音声信号伝送ケーブル、１４−３…音声信号入力装置、１５−２…マイクロホンまたは音声出力装置、１５−１…L/RchのRCAピンプラグ、１８−８…音声入力装置または音声記録装置
【図１】
2008226661.tif 000003
【図２】
2008226661.tif 000004
【図３】
2008226661.tif 000005
【図４】
2008226661.tif 000006
【図５】
2008226661.tif 000007
【図６】
2008226661.tif 000008
【図７】
2008226661.tif 000009
【図８】
2008226661.tif 000010
【図９】
2008226661.tif 000011
【図１０】
2008226661.tif 000012
【図１１】
2008226661.tif 000013
【図１２】
2008226661.tif 000014
【図１３】
2008226661.tif 000015
【図１４】
2008226661.tif 000016
【図１５】
2008226661.tif 000017
【図１６】
2008226661.tif 000018
【図１７】
2008226661.tif 000019
【図１８】
2008226661.tif 000020
【図１９】
2008226661.tif 000021